(57)【要約】【課題】  コードの保持力が強く、かつコード挟持部からコードが切れにくく、さらに断面形状の異なるコードや曲がったコードに対応可能なコード締付け手段を有する刈払機用ロータリーカッタの提供。【解決手段】  回転駆動される切断ヘッドより延出された所望長さのコードにより草、芝等を刈り払いする刈払機用ロータリーカッタであって、切断ヘッド本体に前記コードの一端を固定する少なくとも一つの締付け手段を有し、該コード締付け手段は切断ヘッド本体に回動可能に軸支されかつばねにて常時一定方向の回転力を付勢された一対のラチェットで構成され、該ラチェットにてコードがクランプされて締付けられる方式となし、ヘッド本体側壁より差込まれたコードの内側端部が前記締付け手段にて締付けられ、コードが摩耗した場合は当該コードを抜き取り新しいコードと交換する方式の刈払機用ロータリーカッタにおいて、前記一対のラチェットで構成するコード締付け手段を少なくとも２枚以上の薄板状ラチェットで構成したことを特徴とする。【選択図】  図２
2008253216.tif 000002
【特許請求の範囲】
【請求項１】
駆動シャフトを介して回転駆動される切断ヘッドより当該ヘッドの半径方向に延出された少なくとも一つの所望長さのコードにより草、芝等を刈り払いする刈払機用ロータリーカッタであって、ケースとカバーとで構成された切断ヘッド本体に前記コードの一端を固定する少なくとも一つの締付け手段を有し、該コード締付け手段は切断ヘッド本体に回動可能に軸支されかつばねにて常時一定方向の回転力を付勢された一対のラチェットで構成され、該ラチェットにてコードがクランプされて締付けられる方式となし、ヘッド本体側壁より差込まれたコードの内側端部が前記締付け手段にて締付けられ、コードが摩耗した場合は当該コードを抜き取り新しいコードと交換する方式の刈払機用ロータリーカッタにおいて、前記一対のラチェットで構成するコード締付け手段を少なくとも２枚以上の薄板状ラチェットを同軸に相重ねて構成したことを特徴とする刈払機用ロータリーカッタ。
【請求項２】
前記薄板状ラチェットは、コードの太さより薄い板状部材で、形成されていることを特徴とする請求項１に記載の刈払機用ロータリーカッタ。
【発明の詳細な説明】
【技術分野】
【０００１】
本発明は、モータ等により駆動シャフトを介して回転駆動される切断ヘッドの半径方向に延出された所望長さのコードにより草、芝等を刈り払いする刈払機用のロータリーカッタに係り、より詳しくは前記コードが摩耗した時に当該コードを抜き取り新しいコードと容易に交換できる刈払機用ロータリーカッタに関するものである。
【背景技術】
【０００２】
従来、この種のロータリーカッタとしては、例えば中央に駆動シャフト連結部を有し外周に側壁が設けられた円板状の基板と、該基板に向い合って側壁に着脱可能に取付けられたほぼ円筒状の保護カバーとから構成された切断ヘッドの内部に、回転して草、芝などの刈り払いを行う所望長さのコードを締付けるための締付け手段が前記円板状の基板に設けられ、その締付け手段はコイルばねや捩じりばね等の弾性部材とカム形状や円筒棒形状などの締付け部材によりコードを前記基板の側壁に設けた押圧壁に押え付けて固定する方式となしたものが提案されている（特許文献１参照）。
【０００３】
また、図４、図５に示すごとく、中央部に駆動シャフト連結軸筒部１０−１ａを有するケース１０−１と、中央部に前記駆動シャフト連結軸筒部１０−１ａの貫通孔１０−２ａを有する前記ケース１０−１と対をなすカバー１０−２とからなる円盤状の切断ヘッド本体１０の外周端部に、所望長さのコード１２を締付けるための締付け手段１１が設けられ、切断ヘッド本体１０内に差し込まれた所望長さのコード１２が摩耗した場合、当該コードを切断ヘッド本体１０から抜き取り新しいコードと取替える方式のロータリーカッタが知られている。このロータリーカッタの前記コード締付け手段１１は、切断ヘッド本体１０の側壁に形成された開口に設けられたコードガイド１１−１の内側に設置され、その構造は、切断ヘッド本体１０のカバー１０−２側に突設した該カバー１０−２とケース１０−１とを締結用ねじ１５にて締結するための支軸１０−３に回動可能に軸支されかつ支軸１０−３に外装したばね１１−３にて常時一定方向の回転力を付勢された一対のラチェット１１−２で構成されている。すなわち、このコード締付け手段１１はコード導出用出口（コードガイド）１１−１より切断ヘッド本体１０内に差し込まれた所望長さのコード１２の一端が一対のラチェット１１−２にてクランプされて締付けられる方式となっている。そのため、このロータリーカッタの場合は、前記ラチェット１１−２と切断ヘッド本体中央部の駆動シャフト連結軸筒部１０−１ａとの間に、コードの交換時にコード１２を抜き取る際に当該コードを掴むためのスペース１０−４が設けられている。
なお、切断ヘッド本体１の駆動シャフト１３の装着は、図４に示すように、切断ヘッド本体１１の底部に被せる蓋体１４を介して連結ボルト１６により行われる構造となっている。
【特許文献１】米国特許第５，８９６，６６６号公報
【発明の開示】
【発明が解決しようとする課題】
【０００４】
しかしながら、前記した特許文献１、２に記載されているロータリーカッタに採用されているコード締付け手段、すなわちコイルばねや捩じりばね等の弾性部材とカム形状や円筒棒形状などの締付け部材によりコードを前記基板の側壁に設けた押圧壁に押え付けて固定する方式となしたコード締付け手段の場合は、締付け部材によるコード挟持部が少ないためコードの保持力が弱く、コードに遠心力が発生しコードに引抜き力が作用すると容易に抜けてしまうという欠点がある。また、図４、図５に示すロータリーカッタに採用されている一対のラチェット１１−２にてクランプして締付ける方式のコード締付け手段の場合は、コードの保持力が弱いだけでなく、ラチェットの歯がコードに食い込むことにより当該挟持部からコードが切れてしまうという欠点がある。さらに、従来のコード締付け手段は、断面形状の異なるコードや曲がったコードに対応できないという欠点があった。
【０００５】
本願発明は、上記した従来のロータリーカッタのコード締付け手段、特にラチェットによる締付け方式の欠点を解消するためになされたもので、コードの保持力が強く、かつコード挟持部からコードが切れにくく、さらに断面形状の異なるコードや曲がったコードに対応可能なコード締付け手段を有する刈払機用ロータリーカッタを提供することを目的とするものである。
【課題を解決するための手段】
【０００６】
本発明に係る刈払機用ロータリーカッタは、駆動シャフトを介して回転駆動される切断ヘッドより当該ヘッドの半径方向に延出された少なくとも一つの所望長さのコードにより草、芝等を刈り払いする刈払機用ロータリーカッタであって、ケースとカバーとで構成された切断ヘッド本体に前記コードの一端を固定する少なくとも一つの締付け手段を有し、該コード締付け手段は切断ヘッド本体に回動可能に軸支されかつばねにて常時一定方向の回転力を付勢された一対のラチェットで構成され、該ラチェットにてコードがクランプされて締付けられる方式となし、ヘッド本体側壁より差込まれたコードの内側端部が前記締付け手段にて締付けられ、コードが摩耗した場合は当該コードを抜き取り新しいコードと交換する方式の刈払機用ロータリーカッタにおいて、前記一対のラチェットで構成するコード締付け手段を少なくとも２枚以上の薄板状ラチェットを同軸に相重ねて構成したことを特徴とするものである。また、前記薄板状ラチェットは、コードの太さより薄い板状部材で形成されていることを好ましい態様とするものである。
【発明の効果】
【０００７】
本発明の刈払機用ロータリーカッタは、駆動シャフトを介して回転駆動される切断ヘッドより当該ヘッドの半径方向に延出された少なくとも一つの所望長さのコードにより草、芝等を刈り払いする刈払機用ロータリーカッタであって、ケースとカバーとで構成された切断ヘッド本体に前記コードの一端を固定する少なくとも一つの締付け手段を有し、ヘッド本体側壁より差込まれたコードの内側端部が前記締付け手段にて締付けられ、コードが摩耗した場合は当該コードを抜き取り新しいコードと交換する方式の刈払機用ロータリーカッタにおいて、コード締付け手段を少なくとも２枚以上の薄板状ラチェットで構成したことにより、コードが少なくとも２組以上のラチェットでクランプされるのでコードの保持力が高められて、コードに遠心力が発生しコードに引抜き力が作用しても容易に抜けることがほとんどなくなり、また同時にコード挟持力が一か所に集中することなく分散するのでラチェットの歯がコードに食い込むことによるコードの破断が大幅に少なくなるという効果が得られる。さらに、断面形状の異なるコードや曲がったコードにも対応可能であるという優れた効果を奏する。
【発明を実施するための最良の形態】
【０００８】
図１は本発明に係る刈払機用ロータリーカッタの一実施例を示す横断平面図、図２は図１に示す刈払機用ロータリーカッタのコード締付け用ラチェットを拡大して示す斜視図、図３は同上ロータリーカッタのコード締付け用ラチェットと断面形状の異なるコードの実施態様例で、（ａ）は２枚の薄板状ラチェットを同軸に相重ねて構成した一対のコード締付け用ラチェットと断面形状が円形のコードを示す概略断面図、（ｂ）は３枚の薄板状ラチェットを同軸に相重ねて構成した一対のコード締付け用ラチェットと断面形状が円形のコードを示す概略断面図、（ｃ）は２枚の薄板状ラチェットを同軸に相重ねて構成した一対のコード締付け用ラチェットと断面形状が菱形のコードを示す概略断面図、（ｄ）は２枚の薄板状ラチェットを同軸に相重ねて構成した一対のコード締付け用ラチェットと断面形状が多角形のコードを示す概略断面図、（ｅ）は３枚の薄板状ラチェットを同軸に相重ねて構成した一対のコード締付け用ラチェットと断面形状が多角形のコードを示す概略断面図であり、１は切断ヘッド本体、２はケース、３はカバー、４はコード締付け手段、５はラチェット、５−１、５−２は薄板状ラチェット、６はコードガイド、７、７ａ、７ｂはコードをそれぞれ示す。
【０００９】
すなわち、図１に示す刈払機用ロータリーカッタは、前記図４、図５に示すものと同様のケース２と、該ケース２と対をなすカバー３とからなる円形の切断ヘッド本体１の外周端部に、所望長さのコード７を締付けるための締付け手段４（ここでは２組）が設けられている。このコード締付け手段４は、切断ヘッド本体１の側壁に形成された開口部にケース２とカバー３間に挟持されるように設けられたコードガイド６の内側に設置され、その構造は、切断ヘッド本体１のカバー３側に突設した支軸３−２に回動可能に軸支されかつ該支軸３−２に外装したばね３−３にて常時一定方向の回転力を付勢された一対のラチェット５で構成され、かつ該一対のラチェット５は例えば図２に拡大して示すように、２枚の薄板状ラチェット５−１を相互に重ねて構成している。すなわち、このコード締付け手段４は、コードガイド６より切断ヘッド本体１内に差し込まれた所望長さのコード７の一端が、前記ばね３−３にて一定方向の回転力を付勢された２枚の薄板状ラチェット５−１で構成された一対のラチェット５にてクランプされて締付けられる方式となっている。なお、ケース２とカバー３は、各一対のラチェット５が取着されている４本の支軸３−２の部分にケース２を貫通して螺着された締結用ねじ１−２にて一体に結合されている。
【００１０】
また、本発明では、コード締付け用ラチェットと断面形状の異なるコードの組み合わせ例を図３に示すように、コードの断面形状に合わせて薄板状ラチェットの使用枚数を種々変えて用いることができる。
すなわち、図３（ａ）は断面形状が円形のコード７に対して２枚の薄板状ラチェット５−１で構成した一対のコード締付け用ラチェットを例示したもので、この組み合わせの場合は、円形のコード７が２組のラチェットでクランプされるので、コードクランプ箇所が２箇所となる。同（ｂ）は断面形状が円形のコード７に対して３枚の薄板状ラチェット５−２で構成した一対のコード締付け用ラチェットを例示したもので、この組み合わせの場合は、円形のコード７が３組のラチェットでクランプされるので、コードクランプ箇所が３箇所となる。同（ｃ）は断面形状が菱形のコード７ａに対して２枚の薄板状ラチェット５−１で構成した一対のコード締付け用ラチェットを例示したもので、この組み合わせの場合は、菱形のコード７ａが２組のラチェットでクランプされるので、コードクランプ箇所が２箇所となる。同（ｄ）は断面形状が多角形のコード７ｂに対して２枚の薄板状ラチェット５−１で構成した一対のコード締付け用ラチェットを例示したもので、この組み合わせの場合は、菱形のコード７ｂが２組のラチェットでクランプされるので、コードクランプ箇所が２箇所となる。同（ｅ）は断面形状が多角形のコード７ｂに対して３枚の薄板状ラチェット５−１で構成した一対のコード締付け用ラチェットを例示したもので、この組み合わせの場合は、菱形のコード７ｂが３組のラチェットでクランプされるので、コードクランプ箇所が３箇所となる。
なお、使用する薄板状ラチェット５−１、５−２の枚数および各薄板状ラチェット５−１、５−２の各隙間は、当該コードの断面形状、太さ、径、に応じて適宜設定し、また各薄板状ラチェット間には必要に応じその隙間にスペーサ（図示せず）等を用いる。
【００１１】
上記構成の刈払機用ロータリーカッタにおいて、所望長さのコード７の一端部は、切断ヘッド本体１の側壁部に形成された開口に設けられたコードガイド６より差し込まれて内部へ案内されかつ一対のラチェット５間を通過して内部に導入される。その際、一対のラチェット５間でのコード７の通過は、図１、図２に示すラチェット５の場合は当該ラチェット５をばね３−３の付勢力に抗して矢印ア方向に回転させ、所定の位置で停止したコード７がばね３−３の付勢力で一対のラチェット５との間に締付けられて固定されるが、本発明の複数枚の薄板状ラチェット５−１で構成した一対のコード締付け用ラチェットの場合は、図３に例示するように、コード７が少なくとも２組以上のラチェットでクランプされるのでコードの保持力が高められて、コードに遠心力が発生しコードに引抜き力が作用しても容易に抜けることがほとんどなくなる。また同時に、コード挟持力が一か所に集中することなく分散するのでラチェットの歯がコードに食い込むことによるコードの破断が大幅に少なくなる。さらに、断面形状の異なるコード７、７ａ、７ｂに対しても、複数枚の薄板状ラチェット５−１や５−２を用いることにより容易にかつ的確にクランプすることができる。
【産業上の利用可能性】
【００１２】
本発明の刈払機用ロータリーカッタは、ケースとカバーとで構成された切断ヘッド本体に前記コードの一端を固定する少なくとも一つの締付け手段を有し、ヘッド本体側壁より差込まれたコードの内側端部が前記締付け手段にて締付けられ、コードが摩耗した場合は当該コードを抜き取り新しいコードと交換する方式の刈払機用ロータリーカッタにおいて、コード締付け手段を少なくとも２枚以上の薄板状ラチェットで構成したことにより、コードが少なくとも２組以上のラチェットでクランプされるのでコードの保持力が高められて、コードに遠心力が発生しコードに引抜き力が作用しても容易に抜けることがほとんどなくなり、また同時にコード挟持力が一か所に集中することなく分散するのでラチェットの歯がコードに食い込むことによるコードの破断が大幅に少なくなるという効果が得られ、さらに、断面形状の異なるコードや曲がったコードにも対応可能であるという優れた効果を奏し、極めて実用性に富むものである。
【図面の簡単な説明】
【００１３】
【図１】本発明に係る刈払機用ロータリーカッタの一実施例を示す横断平面図である。
【図２】図１に示す刈払機用ロータリーカッタのコード締付け用ラチェットを拡大して示す斜視図である。
【図３】同上ロータリーカッタのコード締付け用ラチェットと断面形状の異なるコードの実施態様例で、（ａ）は２枚の薄板状ラチェットを同軸に相重ねて構成した一対のコード締付け用ラチェットと断面形状が円形のコードを示す概略断面図、（ｂ）は３枚の薄板状ラチェットを同軸に相重ねて構成した一対のコード締付け用ラチェットと断面形状が円形のコードを示す概略断面図、（ｃ）は２枚の薄板状ラチェットを同軸に相重ねて構成した一対のコード締付け用ラチェットと断面形状が菱形のコードを示す概略断面図、（ｄ）は２枚の薄板状ラチェットを同軸に相重ねて構成した一対のコード締付け用ラチェットと断面形状が多角形のコードを示す概略断面図、（ｅ）は３枚の薄板状ラチェットを同軸に相重ねて構成した一対のコード締付け用ラチェットと断面形状が多角形のコードを示す概略断面図である。
【図４】本発明の対象とする従来の刈払機用ロータリーカッタの一実施例を示す縦断正面図である。
【図５】図４ｂ−ｂ線上の横断平面図である。
【符号の説明】
【００１４】
１  切断ヘッド本体
２  ケース
３  カバー
４  コード締付け手段
５  ラチェット
５−１、５−２  薄板状ラチェット
６  コードガイド
７、７ａ、７ｂ  コード
【図１】
2008253216.tif 000003
【図２】
2008253216.tif 000004
【図３】
2008253216.tif 000005
【図４】
2008253216.tif 000006
【図５】
2008253216.tif 000007